【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
医療デバイスキット容器であって、
注射器外筒を解放可能に保持するように構成される第１の部材と、
バイアルを解放可能に保持するように構成される第２の部材であって、第１のヒンジによって前記第１の部材に連結される、第２の部材と、
第２のヒンジによって前記第２の部材に連結される第３の部材と
を備える、容器。
【請求項２】
前記第１、第２、および第３の部材は、単一構造として形成される、請求項１に記載の容器。
【請求項３】
前記容器は、使用者が最初に前記バイアルを前記第２の部材から解放することなく前記注射器外筒を前記バイアルに連結することができるように構成される、請求項１に記載の容器。
【請求項４】
前記バイアルが依然として所定の位置に解放可能に保持されているときに前記注射器外筒が前記バイアルに連結される場合、前記容器は、前記第２の部材の底面が調製表面上横になるときに、前記注射器外筒に安定性を提供することができるように構成される、請求項１に記載の容器。
【請求項５】
医療デバイスキットであって、
注射器外筒と、
キャップおよび基部を有するバイアルと、
注射器外筒および前記バイアルを保持するための容器であって、
前記バイアルをその基部によって解放可能に保持するように構成される部材を備える、容器と
を備え、
前記容器は、使用者が最初に前記バイアルを前記部材から解放することなく前記注射器外筒を前記バイアルの前記キャップに連結することができるように構成される、医療デバイスキット。
【請求項６】
前記バイアルが依然として所定の位置に解放可能に保持されているときに前記注射器外筒が前記バイアルに連結される場合、前記容器は、前記部材の底面が調製表面上横になるときに、前記注射器外筒に安定性を提供することができるように構成される、請求項５に記載の医療デバイスキット。
【請求項７】
医療デバイスキットであって、
長手方向軸を有する注射器外筒と、
長手方向軸を有するバイアルと、
前記注射器外筒および前記バイアルを保持するための容器であって、閉鎖構成および開放構成を有し、
前記注射器外筒を解放可能に保持するように構成される第１の部材と、
前記バイアルを解放可能に保持するように構成される第２の部材と
を備える、容器と
を備え、
前記容器がその閉鎖位置にあるとき、前記注射器外筒の前記長手方向軸は、前記バイアルの前記長手方向軸に略平行であり、
前記容器がその開放位置にあるとき、前記注射器外筒の前記長手方向軸は、前記バイアルの前記長手方向軸に略垂直である、医療デバイスキット。
【請求項８】
前記容器は、使用者が最初に前記バイアルを前記第２の部材から解放することなく前記注射器外筒を前記バイアルに連結することができるように構成される、請求項７に記載の医療デバイスキット。
【請求項９】
前記バイアルが依然として所定の位置に解放可能に保持されているときに前記注射器外筒が前記バイアルに連結される場合、前記容器は、前記第２の部材の底面が調製表面上横になるときに、前記注射器外筒に安定性を提供することができるように構成される、請求項７に記載の医療デバイスキット。
【請求項１０】
医療デバイスキットであって、
バイアルと、
注射器外筒と、
前記注射器外筒および前記バイアルを保持するための容器であって、
前記バイアルを直立位置に解放可能に保持するように構成される部材を備える、容器と
を備え、
前記バイアルが直立位置に解放可能に保持されているように、前記容器は、前記部材の底面が調製表面上横になるときに、前記バイアルに安定性を提供することができるように構成され、
前記バイアルが依然として直立位置に解放可能に保持されているように、前記容器は、前記注射器外筒が前記バイアルに連結される場合、前記部材の底面が調製表面上横になるときに、前記注射器外筒に安定性を提供することができるようにさらに構成される、医療デバイスキット。
【請求項１１】
前記容器は、使用者が最初に前記バイアルを前記部材から解放することなく前記注射器外筒を前記バイアルに連結することができるように構成される、請求項１０に記載の医療デバイスキット。
【請求項１２】
前記第１の部材は、摩擦嵌合を介して前記注射器外筒を解放可能に保持するように構成される、請求項１に記載の容器。
【請求項１３】
前記第２の部材のスリーブは、その基部によって前記バイアルを解放可能に保持するように構成される、請求項１に記載の容器。
【請求項１４】
前記第３の部材は、バイアルアダプタを解放可能に保持するように構成される、請求項１に記載の容器。
【請求項１５】
前記容器は、閉鎖構成および開放構成を有し、
前記容器は、前記閉鎖構成において、前記第１および第３の部材の外面が、互いに略平行であり、かつ互いに反対側を向くように構成され、
前記容器は、前記開放構成において、調製表面上横になるときに、前記第１、第２、および第３の部材の外面が、互いに略平行であり、かつ同一方向を向くように構成される、請求項１に記載の容器。
【請求項１６】
前記部材のスリーブは、その基部によって前記バイアルを解放可能に保持するように構成される、請求項５に記載の医療デバイスキット。
【請求項１７】
前記容器は、閉鎖構成および開放構成を有し、
前記容器が、その閉鎖構成にあるときに、前記注射器外筒の長手方向軸は、前記バイアルの長手方向軸に略平行であり、
前記容器が、その開放構成にあり、調製表面上横になるときに、前記注射器外筒の長手方向軸は、前記バイアルの長手方向軸に略垂直である、請求項５に記載の医療デバイスキット。
【請求項１８】
バイアルアダプタをさらに備え、
前記バイアルアダプタは、前記注射器外筒のハブを前記バイアルのキャップに連結するように構成される、請求項５に記載の医療デバイスキット。
【請求項１９】
長手方向軸を有する注射器プランジャーロッドをさらに備え、
前記容器の第１の部材は、前記注射器プランジャーロッドを解放可能に保持するようにさらに構成される、請求項７に記載の医療デバイスキット。
【請求項２０】
前記容器の第１の部材は、解体状態において互いから分離される前記注射器外筒および前記注射器プランジャーロッドを保持するようにさらに構成される、請求項１９に記載の医療デバイスキット。
【請求項２１】
前記容器がその閉鎖位置にあるか、または前記開放位置にあるかにかかわらず、前記注射器外筒の長手方向軸が、前記注射器プランジャーの長手方向軸に略平行であるように、前記容器の第１の部材は、前記注射器外筒および前記注射器プランジャーロッドを保持するようにさらに構成される、請求項２０に記載の医療デバイスキット。
【請求項２２】
前記第１の部材は、摩擦嵌合を介して前記注射器外筒を解放可能に保持するように構成される、請求項７に記載の医療デバイスキット。
【請求項２３】
前記第２の部材のスリーブは、その基部によって前記バイアルを解放可能に保持するように構成される、請求項７に記載の医療デバイスキット。
【請求項２４】
前記部材のスリーブは、その基部によって前記バイアルを解放可能に保持するように構成される、請求項１０に記載の医療デバイスキット。
【請求項２５】
バイアルアダプタをさらに備え、
前記バイアルアダプタは、前記注射器外筒のハブを前記バイアルのキャップに連結するように構成される、請求項１０に記載の医療デバイスキット。
【手続補正２】
【補正対象書類名】明細書
【補正対象項目名】００１７
【補正方法】変更
【補正の内容】
【００１７】
本発明のさらなる実施形態、特徴、および利点、ならびに本発明の種々の実施形態の構造および動作は、添付の図面を参照して以下で詳細に説明される。
本願明細書は、例えば、以下の項目も提供する。
（項目１）
閉鎖構成および開放構成を有する容器であって、
外面を備える第１の部材と、
外面を備える第２の部材であって、第１のヒンジによって前記第１の部材に連結される、第２の部材と、
外面を備える第３の部材であって、第２のヒンジによって前記第２の部材に連結される、第３の部材と、を備え、
前記容器が、前記閉鎖構成にあるとき、前記第１および第３の部材の前記外面が互いに略平行であり、かつ互いに反対側を向くように構成され、
前記容器が、前記開放構成にあるとき、前記第１、第２、および第３の部材の前記外面が互いに略平行であり、かつ同一方向を向くように構成される、容器。
（項目２）
前記第１、第２、および第３の部材が、単一構造として形成される、項目１に記載の容器。
（項目３）
前記第１、第２、および第３の部材が、射出成型プロセスによって形成される、項目２に記載の容器。
（項目４）
前記第１および第２のヒンジがリビングヒンジである、項目１に記載の容器。
（項目５）
前記第２の部材が、バイアルを解放可能に保持するように構成される、項目１に記載の容器。
（項目６）
前記容器が、注射器外筒を解放可能に保持するように構成される、項目５に記載の容器。
（項目７）
前記容器が、使用者が最初に前記バイアルを前記容器から解放することなく前記注射器外筒を前記バイアルに連結することができるように構成される、項目６に記載の容器。
（項目８）
前記バイアルが依然として所定の位置に解放可能に保持されているときに前記注射器外筒が前記バイアルに連結される場合、前記容器が、前記注射器外筒に安定性を提供することができるように構成される、項目６に記載の容器。
（項目９）
閉鎖構成および開放構成を有する容器であって、
天板と、
側板であって、バイアルを解放可能に保持するように構成される、側板と、
底板と、を備え、
前記容器が、前記閉鎖構成にあるとき、
前記天板および底板が、互いに略平行であり、
前記側板が、前記天板および底板に略垂直であり、
前記側板が、前記バイアルの長手方向軸が前記天板および底板に略平行になるように、バイアルを解放可能に保持するように構成される、容器。
（項目１０）
前記容器が、前記開放構成にあるとき、
前記天板、側板、および底板が、互いに略平行であり、
前記側板が、前記バイアルの長手方向軸が前記天板、側板、および底板に略垂直になるように、バイアルを解放可能に保持するように構成される、項目９に記載の容器。
（項目１１）
前記天板、側板、および底板が、単一構造として形成される、項目９に記載の容器。
（項目１２）
前記天板、側板、および底板が、射出成型プロセスによって形成される、項目１１に記載の容器。
（項目１３）
前記天板、側板、および底板が、１つ以上のリビングヒンジを介して一緒に連結される、項目９に記載の容器。
（項目１４）
前記容器が、注射器外筒を解放可能に保持するように構成される、項目９に記載の容器。
（項目１５）
前記容器が、使用者が最初に前記バイアルを前記側板から解放することなく前記注射器外筒を前記バイアルに連結することができるように構成される、項目１４に記載の容器。
（項目１６）
前記バイアルが依然として所定の位置に解放可能に保持されているときに前記注射器外筒が前記バイアルに連結される場合、前記容器が、前記注射器外筒に安定性を提供することができるように構成される、項目１４に記載の容器。
（項目１７）
容器であって、
注射器外筒を解放可能に保持するように構成される第１の部材と、
バイアルを解放可能に保持するように構成される第２の部材であって、第１のヒンジによって前記第１の部材に連結される、第２の部材と、
バイアルアダプタを解放可能に保持するように構成される第３の部材であって、第２のヒンジによって前記第２の部材に連結される、第３の部材と、を備える、容器。
（項目１８）
前記第１、第２、および第３の部材が、単一構造として形成される、項目１７に記載の容器。
（項目１９）
前記第１、第２、および第３の部材が、射出成型プロセスによって形成される、項目１８に記載の容器。
（項目２０）
前記第１、第２、および第３の部材が、１つ以上のリビングヒンジを介して一緒に連結される、項目１７に記載の容器。
（項目２１）
前記容器が、使用者が最初に前記バイアルを前記第２の部材から解放することなく前記注射器外筒を前記バイアルに連結することができるように構成される、項目１７に記載の容器。
（項目２２）
前記バイアルが依然として所定の位置に解放可能に保持されているときに前記注射器外筒が前記バイアルに連結される場合、前記容器が、前記注射器外筒に安定性を提供することができるように構成される、項目１７に記載の容器。
（項目２３）
治療キットであって、
注射器外筒と、
キャップおよび基部を有するバイアルと、
注射器外筒および前記バイアルを保持するための容器であって、
前記バイアルをその基部によって解放可能に保持するように構成される部材を備える、容器と、を備え、
前記容器が、使用者が最初に前記バイアルを前記部材から解放することなく前記注射器外筒を前記バイアルの前記キャップに連結することができるように構成される、治療キット。
（項目２４）
前記容器が、射出成型プロセスによって形成される、項目２３に記載の治療キット。
（項目２５）
前記容器が、１つ以上のリビングヒンジを使用して開閉するように構成される、項目２３に記載の治療キット。
（項目２６）
前記バイアルが依然として所定の位置に解放可能に保持されているときに前記注射器外筒が前記バイアルに連結される場合、前記容器が、前記注射器外筒に安定性を提供することができるように構成される、項目２３に記載の治療キット。
（項目２７）
治療キットであって、
長手方向軸を有する注射器外筒と、
長手方向軸を有するバイアルと、
前記注射器外筒および前記バイアルを保持するための容器であって、閉鎖構成および開放構成を有し、
前記注射器外筒を解放可能に保持するように構成される第１の部材と、
前記バイアルを解放可能に保持するように構成される第２の部材と、を備える、容器と、を備え、
前記容器がその閉鎖位置にあるとき、前記注射器外筒の前記長手方向軸が、前記バイアルの前記長手方向軸に略平行であり、
前記容器がその開放位置にあるとき、前記注射器外筒の前記長手方向軸が、前記バイアルの前記長手方向軸に略垂直である、治療キット。
（項目２８）
前記第１および第２の部材が、単一構造として形成される、項目２７に記載の治療キット。
（項目２９）
前記第１および第２の部材が、射出成型プロセスによって形成される、項目２８に記載の治療キット。
（項目３０）
前記第１および第２の部材が、リビングヒンジによって一緒に連結される、項目２７に記載の治療キット。
（項目３１）
前記容器が、使用者が最初に前記バイアルを前記第２の部材から解放することなく前記注射器外筒を前記バイアルに連結することができるように構成される、項目２７に記載の治療キット。
（項目３２）
前記バイアルが依然として所定の位置に解放可能に保持されているときに前記注射器外筒が前記バイアルに連結される場合、前記容器が、前記注射器外筒に安定性を提供することができるように構成される、項目２７に記載の治療キット。
（項目３３）
治療キットであって、
バイアルと、
注射器外筒と、
前記注射器外筒および前記バイアルを保持するための容器であって、
前記バイアルを直立位置に解放可能に保持するように構成される部材を備える、容器と、を備え、
前記バイアルが直立位置に解放可能に保持されているときに、前記容器が、前記バイアルに安定性を提供することができるように構成され、
前記バイアルが依然として直立位置に解放可能に保持されているときに前記注射器外筒が前記バイアルに連結される場合、前記容器が、前記注射器外筒に安定性を提供することができるようにさらに構成される、治療キット。
（項目３４）
前記容器が、射出成型プロセスによって形成される、項目３３に記載の治療キット。
（項目３５）
前記容器が、１つ以上のリビングヒンジを使用して開閉するように構成される、項目３３に記載の治療キット。
（項目３６）
前記容器が、使用者が最初に前記バイアルを前記第２の部材から解放することなく前記注射器外筒を前記バイアルに連結することができるように構成される、項目３３に記載の治療キット。